(57)【要約】【課題】火炎の侵入を長時間抑制可能なガラス窓を実現する。【解決手段】ガラス窓１は、三層ガラス１０と、三層ガラス１０が嵌め込まれた窓枠１１とを有している。三層ガラス１０を構成する３枚のガラス板２０、２１、２２のうちの中央のガラス板２１は、上方に延伸する延伸部６０を有している。窓枠１１は、中央のガラス板２１の延伸部６０が嵌め込まれ、当該延伸部６０を把持する凹状の溝部７０を有している。溝部７０は、不燃材料により構成されている。【選択図】図１
2015229828.tif 000002
【特許請求の範囲】
【請求項１】
複層ガラスと、
前記複層ガラスが嵌め込まれた窓枠と、を有し、
前記複層ガラスを構成する複数枚のガラス板のうちの少なくとも１枚のガラス板は、上方に延伸する延伸部を有し、
前記窓枠は、前記ガラス板の延伸部が嵌め込まれた凹状の溝部を有する、ガラス窓。
【請求項２】
前記溝部は、前記ガラス板の延伸部を把持している、請求項１に記載のガラス窓。
【請求項３】
前記複層ガラスは、三層ガラスであり、
前記延伸部を有するガラス板は、３枚のガラス板のうちの中央のガラス板である、請求項１又は２に記載のガラス窓。
【請求項４】
前記溝部は、不燃材料からなる、請求項１〜３のいずれかに記載のガラス窓。
【発明の詳細な説明】
【技術分野】
【０００１】
本発明は、ガラス窓に関する。
【背景技術】
【０００２】
従来より、寒冷地に建築される建物において、高断熱化を実現するため、三層ガラスを備えたガラス窓が採用されている。三層ガラスは、この種のガラス窓は、２枚の隣り合うガラス板の間にスペーサを設けて二層の密封空間が形成されたガラスであり、この三層ガラスを窓枠に挟みこむことにより、高い断熱性を実現している（特許文献１参照）。この三層ガラスにおいてスペーサを合成樹脂等の断熱性の高い材料とすることで、より高い断熱性を得ることができる。
【０００３】
上述の通り、合成樹脂材料からなるスペーサを用いた場合、下記のような問題が生じるおそれがある。すなわち、（１）火災時に火炎側（外部側）のガラス板が熱によって割れ、ガラス板に欠落部が形成される。（２）火炎側のスペーサ（特に窓上枠部分のスペーサ）が、ガラス板の欠落部から入り込む火炎によりガラス板を介さず直接的に炙られて溶解する。（３）火炎側のガラス板のうち、窓枠とスペーサで挟持されることで脱落せず窓上枠部分に残存していた残存部が、スペーサの溶解により脱落する。（４）火炎側のスペーサの溶解及び火炎側のガラス板の脱落により、残存する２枚のガラス板が窓枠に対し挟持されなくなり、窓枠とガラス板との間に隙間が生じる。（５）当該隙間からガラス板隙間から侵入する火炎により建物内部が被害を受ける。
【先行技術文献】
【特許文献】
【０００４】
【特許文献１】実用新案登録第３１２３７５０号公報
【発明の概要】
【発明が解決しようとする課題】
【０００５】
本出願はかかる点に鑑みてなされたものであり、三層を含む複層ガラスを備えたガラス窓において、火炎の侵入を長時間抑制可能なガラス窓を提供することをその目的とする。
【課題を解決するための手段】
【０００６】
上記目的を達成するための発明の一つとして、複層ガラスと、前記複層ガラスが嵌め込まれた窓枠と、を有し、前記複層ガラスを構成する複数枚のガラス板のうちの少なくとも１枚のガラス板は、上方に延伸する延伸部を有し、前記窓枠は、前記ガラス板の延伸部が嵌め込まれた凹状の溝部を有するガラス窓が提供される。
【０００７】
上記ガラス窓によれば、火炎によりガラス板が割れ、脱落したとしても、残存するガラス板により火炎の侵入を長時間抑制できる。
【０００８】
前記溝部は、前記ガラス板の延伸部を把持していてもよい。延伸部を有するガラス板が火炎の熱で割れても、溝部が延伸部近傍の残存するガラス板を把持し続け脱落を防止できる。これにより、例えばガラス板の端部付近に隙間ができて火炎が侵入することを抑制できる。
【０００９】
前記複層ガラスは、三層ガラスであり、前記延伸部を有するガラス板は、３枚のガラス板のうちの中央のガラス板であってもよい。
【００１０】
前記溝部は、不燃材料からなるものであってもよい。
【発明の効果】
【００１１】
火炎の侵入を長時間抑制可能なガラス窓を実現できる。
【図面の簡単な説明】
【００１２】
【図１】ガラス窓の縦断面図の説明図である。
【図２】ガラス窓の正面図である。
【図３】ガラス窓の外側のガラス板が落下した状態を示す説明図である。
【図４】内側のガラス板に延伸部を設けた場合のガラス窓の説明図である。
【図５】全てのガラス板に延伸部を設けた場合のガラス窓の説明図である。
【発明を実施するための形態】
【００１３】
以下、図面を参照して、本発明の好ましい実施の形態の一例について説明する。なお、図面の上下左右等の位置関係は、特に断らない限り、図面に示す位置関係に基づくものとする。図面の寸法比率は、図示の比率に限定されるものではない。さらに、以下の実施の形態は、本発明を説明するための例示であり、本発明をその実施の形態のみに限定する趣旨ではない。また、本発明は、その要旨を逸脱しない限り、さまざまな変形が可能である。
【００１４】
図１は、本実施の形態に係るガラス窓１の構成の概略を示す縦断面の説明図であり、図２は、ガラス窓１の正面図である。
【００１５】
ガラス窓１は、複層ガラスとしての例えば三層ガラス１０と、三層ガラス１０が嵌め込まれた窓枠１１を備えている。
【００１６】
三層ガラス１０は、建物の内側から外側に向けて順に配置された方形の３枚のガラス板２０、２１、２２を備えている。
【００１７】
窓枠１１は、例えば方形の枠状に形成され、その内側に三層ガラス１０が嵌め込まれている。例えば窓枠１１は、三層ガラス１０の４方の外周部に沿って、当該外周部が収容される凹条部３０を有している。凹条部３０は、例えば不燃材料により構成されている。
【００１８】
凹条部３０の内側には、ビード（パッキン）４０が配置され、そのビード４０を介して３枚のガラス板２０〜２２が配置されている。ガラス板２０〜２２の外周部間には、例えば枠状のスペーサ（隣り合うガラス板間の間隔を保持し空間を形成する材料）５０、５１及びシール材（ガラス板間の空間の密封状態を維持する為の材料）５２、５３が配置されている。スペーサ５０、５１は、例えば断熱性が高く比較的硬質の合成樹脂により構成されており、ガラス板２０〜２２との間には図示しないシール材が介装されている。シール材５２、５３は、例えば弾力性のあるゴムや合成樹脂により構成されている。ガラス板２０は、ビート４０を介してスペーサ５０と凹条部３０の内側の側壁により、凹条部３０との間に隙間が形成されることなく挟持され、ガラス板２２は、ビート４０を介してスペーサ５１と凹条部３０の外側の側壁により、凹条部３０との間に隙間が形成されることなく挟持されている。なお、スペーサ５０、５１や、シール材５２、５３の材質は、上記合成樹脂やゴムに限定されるものではない。
【００１９】
例えば中央のガラス板２１は、他の両側のガラス板２０、２２よりも上方に延伸（突出）した延伸部６０を備えている。また、凹条部３０の中央には、ガラス板２１の延伸部６０が嵌め込まれる凹状の溝部７０が形成されている。なお、溝部７０は、例えば不燃材料により構成されている。溝部７０は、図２に示すようにガラス板２１の上辺に沿って水平方向に直線状に形成されている。ガラス板２１の延伸部６０は、凹条部３０の溝部７０に嵌め込まれ、当該溝部７０によって両側から把持されている。
【００２０】
以上のように構成されたガラス窓１によれば、例えば隣家の火災時にガラス窓１が建物の外側から炙られた場合、外側のガラス板２２の一部が火炎の熱によって割れると、図３に示すように、ガラス板２２の欠落部から侵入する火炎によりスペーサ５１がシール材５３とともに溶解し脱落する。この脱落によりガラス板２２の上部の残存部もスペーサ５１による押圧が解除されることで脱落する。このとき、中央のガラス板２１は、その延伸部６０が窓枠１１の溝部７０に嵌め込まれているため、延伸部６０によって火炎の侵入を阻止できる。また、仮に火炎によりガラス板２２に続きガラス板２１が割れたとしても、ガラス板２１の延伸部６０が溝部７０で把持されているので、ガラス板２１の延伸部６０近傍部分が脱落せず溝部７０から垂下した状態で残存し、スペーサ５０がガラス板２０を凹条部３０の内側の側壁方向に押圧し続ける。これにより、ガラス板２０と凹条部３０との間には隙間が形成されず火炎の侵入を阻止できる。よって、火炎の侵入を、従来に比べて長時間抑制できる。
【００２１】
また、本実施の形態で記載したガラス窓１では、三層ガラス１０の中央のガラス板２１に溝部７０を設けているので、建物内部での出火により内側のガラス板２０が火炎により炙られた場合であっても、同様の作用により、火炎の漏出による延焼を抑制できる。
【００２２】
また、溝部７０が不燃材料で構成されているので、火炎に近づいたときの溝部７０の把持持続時間が長くなり、火炎の侵入を長時間抑制できる。
【００２３】
上記実施の形態において、三層ガラス１０の中央のガラス板２１だけ延伸部６０を有し、窓枠１１がそれに対応する溝部７０を有していたが、他のガラス板も延伸部を有し、窓枠１１にそれに対応する溝部を形成するようにしてもよい。例えば図４に示すように建物の内側のガラス板２０にも延伸部６０を形成し、窓枠１１にその延伸部６０を把持する溝部７０を形成してもよい。この場合、建物の外側からの火炎がガラス板２１及びガラス板２０により遮断されるので、建物の内側への火炎の侵入を長時間抑制できる。
【００２４】
さらに、図５に示すように建物の外側のガラス板２２にも延伸部６０を形成し、窓枠１１にその延伸部６０を把持する溝部７０を形成してもよい。すなわち、全てのガラス板２０〜２２に延伸部６０を形成し、窓枠１１にそれに対応する溝部７０を形成してもよい。かかる場合、火炎の侵入をより長時間抑制できる。
【００２５】
なお、上記実施の形態で示した図４において、内側のガラス板２０に代えて外側のガラス板２２に延伸部６０を形成し、窓枠１１にそれに対応する溝部７０を形成してもよい。また、中央のガラス板２１に代えて、ガラス板２１以外のガラス板２０、２１の少なくともいずれかにのみ延伸部６０を形成し、窓枠１１にそれに対応する溝部７０を形成してもよい。
【００２６】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００２７】
例えば以上の実施の形態では、三層ガラス１０の場合を例にとって説明したが、二層や四層以上の複層ガラスにも本発明は適用できる。また、三層以上の複層ガラスの場合、最も外側のガラス板以外のガラス板に延伸部を設けてもよい。また、ガラス板の延伸部６０の形状や長さは、これに限られない。また、溝部７０は、延伸部６０を直接把持していてもよいし、間接的に把持していてもよい。また、溝７０は、延伸部６０を把持していなくてもよく、単に延伸部６０が嵌め込まれるものであってもよい。
【産業上の利用可能性】
【００２８】
本発明は、火炎の侵入を長時間抑制可能なガラス窓を実現する際に有用である。
【符号の説明】
【００２９】
１  ガラス窓
１０  三層ガラス
１１  窓枠
２０〜２２  ガラス板
３０  凹条部
５０、５１  スペーサ
５２、５３  シール材
６０  延伸部
７０  溝部
【図１】
2015229828.tif 000003
【図２】
2015229828.tif 000004
【図３】
2015229828.tif 000005
【図４】
2015229828.tif 000006
【図５】
2015229828.tif 000007